(57)【要約】【課題】通信ネットワークでトークン制御されたデータ伝送技法を提供すること。【解決手段】トークン制御データ伝送方法は、複数のデータチャネルの１つ及び時間ウインドウを指定する伝送データを有するトークンを受信する。バーストブロッカは、伝送データの少なくとも一部に基づいて、複数のデータチャネルを有する光伝送媒体で指定されたデータチャネルでの選択的な通信を行うように構築される。バーストブロッカを選択的に構築することは、複数のデータチャネルから特定のデータチャネルを分けること、第１構成では、時間ウインドウ以外の期間内に、宛先ノードに向けて複数のデータチャネルの伝送用の複数のデータチャネルに特定のデータチャネルを復帰させるようにデータブロッカを構築し、第２構成では、時間ウインドウの期間内に、特定のデータチャネルの伝搬を防ぐように特定のデータチャネルをブロックするようにバーストブロッカを構築する。【選択図】図１ｂ
2007143161.tif 000002
【特許請求の範囲】
【請求項１】
複数のデータチャネルを有する光伝送媒体に結合されたデータインターフェースと、
コントローラと、
を有する光ノードであって、前記コントローラは、
データチャネル及び時間ウインドウの１つを指定する伝送データを有するトークンを受信し、
前記伝送データの少なくとも一部に基づいて、前記光伝送媒体における指定されたデータチャネルの選択的な通信用に、バーストブロッカを選択的に構成し、
前記バーストブロッカは前記コントローラに結合され且つ前記バーストブロッカは、
前記複数のデータチャネルから特定のデータチャネルを分け、
第１コンフィギュレーションでは、宛先ノードに向けて複数のデータチャネルの伝送用の複数のデータチャネルに前記特定のデータチャネルを復帰させ、
第２コンフィギュレーションでは、前記光ノードを超える前記特定のデータチャネルの伝搬を防ぐように前記特定のデータチャネルをブロックするように前記コントローラにより構築可能であり、
前記バーストブロッカは前記第２コンフィギュレーションでは前記時間ウインドウ内で動作する
ことを特徴とする光ノード。
【請求項２】
前記バーストブロッカが、
前記複数のデータチャネルから前記特定のデータチャネルを分けるよう機能する第１フィルタと、
前記第１フィルタに結合され、前記特定のデータチャネルを受信するよう機能するスイッチと、
前記スイッチに結合され、前記スイッチが第１コンフィギュレーションであった場合に、前記特定のデータチャネルを前記複数のデータチャネルに復帰させるよう機能する第２フィルタと、
を有し、前記スイッチは、
第１コンフィギュレーションでは、前記特定のデータチャネルを通過させ、
第２コンフィギュレーションでは、前記特定のデータチャネルをブロックする
ように前記コントローラにより構築可能である、
ことを特徴とする請求項１記載の光ノード。
【請求項３】
前記バーストブロッカが、
複数の分離フィルタと、
複数のスイッチと、
複数の分離フィルタと、
を有し、前記分離フィルタの各々は、前記複数のデータチャネルから関連するデータチャネルを分けるよう機能し、
前記スイッチの各々は関連する分離フィルタに結合され、該関連する分離フィルタから関連するデータチャネルを受信するよう機能し、前記スイッチは、
第１コンフィギュレーションでは、受信した関連するデータチャネルを通過させ、
第２コンフィギュレーションでは、受信した関連するデータチャネルをブロックする
ように前記コントローラにより構築可能であり、
多重フィルタの各々は、関連するスイッチに結合され、関連するスイッチが前記第１コンフィギュレーションであった場合に、受信した関連するデータチャネルを前記複数のデータチャネルに復帰させるよう動作する
ことを特徴とする請求項１記載の光ノード。
【請求項４】
複数のデータチャネルを有する光伝送媒体に結合された第１フィルタと、
前記第１フィルタに結合されたスイッチと、
前記スイッチ及び前記第１フィルタに結合された第２フィルタと、
を有する光ノードのバーストブロッカであって、前記第１フィルタは、複数のデータチャネルを有する光伝送信号を受信し、特定のデータチャネルを前記複数のデータチャネルから分けるよう機能し、前記スイッチは、
前記特定のデータチャネルを受信し、
第１コンフィギュレーションでは、宛先ノードに向けて複数のデータチャネルの伝送用に前記特定のデータチャネルを通過させ、
第２コンフィギュレーションでは、前記光ノードを超える前記特定のデータチャネルの伝搬を防ぐように前記特定のデータチャネルをブロックし、前記第２フィルタは、
前記複数のデータチャネルの少なくとも一部を前記第１フィルタから受信し、
前記スイッチが前記第１コンフィギュレーションであった場合に、特定のデータチャネルを前記複数のデータチャネルに復帰させる
ことを特徴とするバーストブロッカ。
【請求項５】
複数のデータチャネルの１つ及び時間ウインドウを指定する伝送データを有するトークンを受信するステップと、
前記伝送データの少なくとも一部に基づいて、複数のデータチャネルを有する光伝送媒体で指定されたデータチャネルでの選択的な通信を行うためにバーストブロッカを選択的に構築するステップと、
を有するトークン制御データ伝送のための方法であって、前記バーストブロッカを選択的に構築するステップは、
前記複数のデータチャネルから特定のデータチャネルを分けるステップと、
第１コンフィギュレーションでは、前記時間ウインドウ以外の期間内に、宛先ノードに向けて複数のデータチャネルの伝送用の複数のデータチャネルに前記特定のデータチャネルを復帰させるように前記データブロッカを構築するステップと、
第２コンフィギュレーションでは、前記時間ウインドウの期間内に、前記特定のデータチャネルの伝搬を防ぐように前記特定のデータチャネルをブロックするように前記バーストブロッカを構築するステップと、
を有することを特徴とする特徴とする方法。
【請求項６】
第１スプリッタを利用して、前記複数のデータチャネルから前記特定のデータチャネルを分けるステップと、
前記第１コンフィギュレーションでは前記伝送データの少なくとも一部に基づいて前記特定のデータチャネルを通過させ、第２コンフィギュレーションでは前記特定のデータチャネルをブロックするように切り換えるステップと、
前記スイッチに結合された第２フィルタを利用して、前記スイッチが第１コンフィギュレーションであった場合に前記特定のデータチャネルを前記複数のデータチャネルに復帰させるステップと、
を更に有することを特徴とする請求項５記載の方法。
【請求項７】
複数の分離フィルタで複数のデータチャネルを受信するステップと、
前記分離フィルタの各々を用いて、関連するデータチャネルを前記複数のデータチャネルから分けるステップと、
複数の関連するスイッチで関連するデータチャネルを受信するステップと、
各スイッチで、該スイッチが第１コンフィギュレーションであった場合には、受信した関連するデータチャネルを関連する多重フィルタに伝送するステップと、
各スイッチで、該スイッチが第２コンフィギュレーションであった場合には、受信した関連するデータチャネルをブロックするステップと、
各多重フィルタで、関連するスイッチが第１コンフィギュレーションであった場合に、受信した関連するデータチャネルを複数のデータチャネルに復帰させるステップと、
を更に有することを特徴とする請求項５記載の方法。
【請求項８】
トークン制御されたデータ伝送のための方法であって、
複数のデータチャネルを有する光伝送信号を受信するステップと、
第１フィルタを用いて、特定のデータチャネルを複数のデータチャネルから分けるステップと、
前記特定のデータチャネルをスイッチで受信するステップと、
前記スイッチが第１コンフィギュレーションであった場合には前記特定のデータチャネルを通過させ、前記スイッチが第２コンフィギュレーションであった場合には前記特定のデータチャネルをブロックするステップと、
第２フィルタで、前記複数のデータチャネルの少なくとも一部を前記第１フィルタから受信するステップと、
前記スイッチが前記第１コンフィギュレーションであった場合に、前記特定のデータチャネルを前記複数のデータチャネルに復帰させるステップと、
を有することを特徴とする方法。
【請求項９】
トークン制御データ伝送のための、記憶媒体に組み込まれた論理装置であって、
複数のデータチャネルの１つ及び時間ウインドウを指定する伝送データを有するトークンを受信するステップと、
前記伝送データの少なくとも一部に基づいて、複数のデータチャネルを有する光伝送媒体で指定されたデータチャネルでの選択的な通信を行うためにバーストブロッカを選択的に構築するステップと、
をコンピュータに実行させ、前記バーストブロッカを選択的に構築するステップは、
前記複数のデータチャネルから特定のデータチャネルを分けるステップと、
第１コンフィギュレーションでは、前記時間ウインドウ以外の期間内に、宛先ノードに向けて複数のデータチャネルの伝送用の複数のデータチャネルに前記特定のデータチャネルを復帰させるように前記データブロッカを構築するステップと、
第２コンフィギュレーションでは、前記時間ウインドウの期間内に、前記特定のデータチャネルの伝搬を防ぐように前記特定のデータチャネルをブロックするように前記バーストブロッカを構築するステップと、
ことを特徴とする特徴とする論理装置。
【請求項１０】
トークン制御されたデータ伝送のための、記憶媒体に組み込まれた論理装置であって、
複数のデータチャネルを有する光伝送信号を受信するステップと、
特定のデータチャネルを複数のデータチャネルから分けるステップと、
前記特定のデータチャネルをスイッチで受信するステップと、
前記スイッチが第１コンフィギュレーションであった場合には前記特定のデータチャネルを通過させ、前記スイッチが第２コンフィギュレーションであった場合には前記特定のデータチャネルをブロックするようにスイッチを構築するステップと、
前記スイッチが前記第１コンフィギュレーションであった場合に、前記特定のデータチャネルを前記複数のデータチャネルに復帰させるステップと、
をコンピュータに実行させることを特徴とする論理装置。
【発明の詳細な説明】
【技術分野】
【０００１】
本発明は一般に通信ネットワークに関連し、特に光ネットワークにおけるトークン制御されたデータ伝送に関連する。
【背景技術】
【０００２】
光ネットワークは光ファイバを介して伝送される光信号の形式でデータを伝送する。ネットワーク帯域の利用性を高めるため、光ネットワークは時分割多重化(TDM)又は波長分割多重化(WDM)のような技術を利用する。例えば同期光ネットワークであるソネット（SONET）は、光ネットワークでデータを多重化するのにTDMを使用する光伝送規格である。
【発明の開示】
【発明が解決しようとする課題】
【０００３】
通信ネットワークでトークン制御されたデータ伝送技法を提供すること。
【課題を解決するための手段】
【０００４】
本発明の一態様では、通信ネットワークでトークン制御されたデータ伝送技法が提供される。特定の形態によるこれらの技法は、ネットワーク要素が光信号を通信ネットワークから動的に除去することを可能にする。
【０００５】
特定の形態では、トークン制御データ伝送のための方法は、複数のデータチャネルの１つ及び時間ウインドウを指定する伝送データを有するトークンを受信するステップを有する。バーストブロッカ(burst  blocker)は、前記伝送データの少なくとも一部に基づいて、複数のデータチャネルを有する光伝送媒体で指定されたデータチャネルでの選択的な通信を行うように構築される。前記バーストブロッカを選択的に構築するステップは、前記複数のデータチャネルから特定のデータチャネルを分けるステップと、第１コンフィギュレーションでは、前記時間ウインドウ以外の期間内に、宛先ノードに向けて複数のデータチャネルの伝送用の複数のデータチャネルに前記特定のデータチャネルを復帰させるように前記データブロッカを構築するステップと、第２コンフィギュレーションでは、前記時間ウインドウの期間内に、前記特定のデータチャネルの伝搬を防ぐように前記特定のデータチャネルをブロックするように前記バーストブロッカを構築するステップとを有する。
【０００６】
別の形態では、トークン制御データ伝送のための方法は、複数の分離フィルタで複数のデータチャネルを受信するステップを有する。第１フィルタは、関連するデータチャネルを前記複数のデータチャネルから分けるために使用される。特定のデータチャネルがスイッチで受信される。スイッチを用いて、該スイッチが第１コンフィギュレーションであった場合には、特定のデータチャネルを伝送し、該スイッチが第２コンフィギュレーションであった場合には、特定のデータチャネルをブロックする。複数のデータチャネルの少なくとも一部が第２フィルタで第１フィルタから受信される。第２フィルタでは、スイッチが第１コンフィギュレーションであった場合に、特定のデータチャネルが複数のデータチャネルに復帰させられる。
【発明を実施するための最良の形態】
【０００７】
本発明の実施例は様々な技術的恩恵をもたらす。これらの技法は伝送を制御するためにトークンベースの制御法を利用してよい。より具体的には、光ネットワーク中のノードは、ネットワーク内の各チャネルで別個の制御を可能にするトークンベースの手法を利用してよい。かくてノードはネットワークで使用される様々な波長又はチャネルに関して送信モードで、受信モードで又は通過モードで動作してよい。従ってノードは第１波長又は波長帯域に関して送信モードで動作する一方、第２波長又は波長帯域に関して通過モードで同時に動作してよい。
【０００８】
これらの技法は或る特性の光信号を選択的に分岐（drop）させることも許容する。光信号の選択的な除去は、伝送される信号が、ネットワーク上で望まれない光信号と衝突しないことを保証する。更に、光信号がそのネットワークに沿って無期限に巡回することも防止される。一実施例では、いったん光バーストが意図される宛先を通過すると、光バーストは除去される。その結果、ネットワークの重複していないセグメントで同一波長による複数のバースト伝送が許容され、ネットワークは空間的に再利用可能になる。他の実施例では、いったん光バーストがそのソースに戻ると、光バーストは除去される。バーストブロッカは、ソースノードに付加されるそのような特定の波長又は帯域で動作することしか要しないので、より簡易な設計が可能になる。
【０００９】
本発明の他の技術的恩恵は以下の説明、図面及び特許請求の範囲から当業者には更に明瞭になるであろう。特定の利点が上記に列挙されたが、様々な実施例は列挙された利点の全部又は一部を含んでよいし、全く含まなくてもよい。
【実施例１】
【００１０】
本発明及びその利点の完全な理解を更に図るため、添付図面に関連する以下の説明が参照される。
【００１１】
図１は全体的に１０で示される通信ネットワークを示し、通信ネットワークは本発明の様々な実施例により動作する複数のネットワークノード１２を含む。一般にネットワーク１０はノード１２間でのデータ伝送をサポートする。より具体的にはノード１２はトークン法を利用して通信を制御する。
【００１２】
特定の実施例によれば、ネットワーク１０は光通信リングを形成し、ノード１２は光通信ノードである。残りの説明は主にネットワーク１０及び光学要素としてのノード１２の実施例に向けられている。しかしながら、開示される技法は適切な如何なるタイプのネットワークに使用されてもよいことが理解されるべきである。
【００１３】
図示されているように、ネットワーク１０は光通信リングであり、ノード１２は光通信ノードである。動作時にあってはネットワーク１０は波長分割多重化(WDM)を利用し、WDMではチャネルを波長で変調することで多数の光チャネルが共通の経路で搬送される。しかしながら、ネットワーク１０は適切な如何なる多重法を利用してよいこと、チャネルはWDMにおける波長のような利用可能な帯域の適切な如何なる分離部分を表現してよいことが理解されるべきである。更に、ネットワーク１０はメトロポリタンエリアネットワーク(MAN)を含む様々なネットワークの如何なるタイプでもよい。また、ネットワーク１０は時計回り方向に及び／又は反時計回り方向に動作してもよい。例えばネットワーク１０は２つの反対向きのリングを含んでよい。
【００１４】
各ノード１２は適切な制御ロジックを含み、他のネットワーク機器に接続し、データを伝送することができるハードウエアを表す。動作時にあっては、ネットワーク１０のリング構成はどのノード１２もネットワーク１０中の他のどのノード１２にデータを伝送することでも許容する。隣接ノード１２については、データは直接的に伝送されてもよい。非隣接ノードについては、データは１つ又はそれより多くの中間的ノードにより伝送される。例えばノード１２ａは隣接ノード１２ｂ，１２ｅにデータを直接的に伝送するかもしれないが、ノード１２ａは中間ノード１２ｂ、１２ｃ又は１２ｅを経て非隣接ノード１２ｄにデータを伝送する。
【００１５】
ノード１２はデータソース１４に結合されてもよい。動作時にあっては、データソース１４はネットワーク１０にデータを提供し、或いはネットワーク１０からデータを受信する。データソース１４ａのようなデータソース１４は、ローカルエリアネットワーク(LAN)、広域ネットワーク（WAN）又はデータを送受信してよい他の如何なるタイプの装置でもよい。
【００１６】
ノード１２は光ファイバ１６で互いに結合される。動作時にファイバ１６はノード１２間で光信号を伝送する。ファイバ１６は１つの単方向ファイバでもよいし、１つの双方向ファイバでもよいし、複数の単方向若しくは双方向ファイバでもよい。図示されるように、ネットワーク１０は２つの単方向ファイバ１６ａ，１６ｂを含む。ネットワークで時計回りに伝送されるデータはファイバ１６ａで搬送され、ネットワークで反時計回りに伝送されるデータはファイバ１６ｂで搬送される。ファイバ１６は複数の波長を有する光信号を伝送することができる材料で構成される。
【００１７】
ノード１２は制御チャネル１８によっても互いにつながっている。制御チャネル１８は、隣接ノード１２間で制御メッセージを通信するのに相応しい光チャネル又は他の如何なるタイプのチャネル（トークンを含む）でもよい。例えば制御チャネル１８は、ネットワーク１０がWDMを用いる場合には光監視チャネル（OSC）と呼ばれる個々の波長でもよい。制御メッセージはネットワーク１０でのデータ伝送を制御する。特定の実施例によれば、トークン及び制御メッセージは全てのノード１２で処理されるが、データ伝送は電子的な処理なしに中間ノード１２を通過してもよい。
【００１８】
動作時にあってはノード１２は伝送を制御するためにトークンベースの制御法を利用する。より具体的にはノード１２は、ネットワーク１０における各チャネルで別個の制御を可能にするトークンベースの手法を利用してもよい。特定の実施例では、ノード１２はチャネル固有のトークンを用いて、各波長個々に個別の制御を可能にする。特定の動作例として図１ｂが考察される。
【００１９】
図１ｂは本発明の一実施例による通信ネットワークにおけるトークン制御データ伝送の様子を示す。この例ではノード１２ａはデータソース１４ａからネットワーク１０を介して送信されるべきデータを受信する。データはネットワーク１０で１以上のノード１２を介して伝送されるよう意図されてよい。受信時にノード１２ａはデータを仮想キュー２０にバッファリングし、仮想キューはデータを格納するよう動作する揮発性又は不揮発性メモリの如何なる形式のメモリを表現してもよい。例えばノード１２ｂ宛のデータは仮想キュー２０の中で行ラベルＢで格納され、ノード１２ｄ宛のデータは仮想キュー２０の中で行ラベルＤで格納されてもよい。しかしながら、データは仮想キュー２０の中で様々な手法のどれで格納されてもよいことに留意を要する。
【００２０】
ノード１２ａは、仮想キュー２０に格納されたデータをネットワーク１０に送信する前にトークンの受信を待機する。トークンはネットワーク１０での競合を避けるようにノード１２間での調整機能をもたらす。トークンは、ネットワーク１０でノード１２ａがデータを送信することを認める、ノード１２ａで受信される何らかの通知である。トークンは認められたデータチャネルにおけるデータ伝送をスケジューリングすること及び送信することをノード１２ａに許可する。特定の実施例では、各データチャネルは少なくとも１つのトークンを利用する。例えば、トークンはネットワーク１０の特定のデータチャネルでのデータ伝送をノード１２ａが予定することを認める。トークンは、ネットワーク１０の特定のデータチャネルでノード１２ａがデータを速やかに伝送することを代替的に又は付加的に認めてもよい。その特定のデータチャネルは、利用可能な帯域の何らかの適切な分離部分（セパレーション）でよい。例えば、特定のデータチャネルはネットワーク１０がＷＤＭであったならば特定の波長でもよい。更に、トークンは、ノード１２ａで受信された制御メッセージで又は様々な他の方法の中の１つでノード１２ａに通知されてもよい。
【００２１】
ネットワーク１０にデータを送信する前に、送信するノード１２は制御メッセージを他のノード１２に通知してよい。動作時にあっては、制御メッセージは、ネットワーク１０で将来データ伝送があることを１以上のノード１２に通知する。生後メッセージは将来的な伝送のデータチャネル及び宛先を特定してもよい。制御メッセージは伝送サイズ及び／又は伝送タイミングを特定してもよい。ノード１２は、それを宛先として指定する制御メッセージを受信した後に、そこに宛てられた将来的な伝送内容を受信するために光学的な及び／又は電気的な要素を再構築してもよい。例えば、将来的な伝送の宛先としてのノード１２は、その将来的な伝送内容を受信するために或る光フィルタを調整してもよい。
【００２２】
かくて、ノード１２ａが或るデータチャネルで送信することを認めるトークンを受信した後であってノード１２ａがデータを送信する前に、ノード１２ａは制御メッセージをネットワーク１０に通知する。例えばノード１２ａはデータをノード１２ｂに送信する前に、ノード１２ａは制御メッセージをノード１２ｂに通知する。同様にノード１２ａがデータをノード１２ｄに送信する前に、ノード１２ａは制御メッセージをノード１２ｄに通知する。
【００２３】
適切な制御メッセージを通知した後に、ノード１２はネットワーク１０の承認済みデータチャネルで仮想キュー２０に格納済みのデータを送信してよい。図示されているように、ノード１２ｂ宛のデータはファイバ１６ｂを介して反時計回りにノード１２ｂに伝送され、ノード１２ｄ宛のデータはファイバ１６ａを時計回りにノード１２ｄに伝送される。伝送２２ａはノード１２ａからノード１２ｂへの伝送を表現し、伝送２２ｂはノード１２ａからノード１２ｄへの伝送を表現する。伝送２２ａはノード１２ａから１２ｂへ直接的に進むが、伝送２２ｂはノード１２ｅを介してノード１２ｄに至る。伝送２２ａ，２２ｂはファイバ１６を介して伝送される。伝送２２ａ，２２ｂに関連する制御メッセージは制御チャネル１８を介して送信される。
【００２４】
図２はネットワーク１０内のノード１２の機能要素を示すブロック図である。ノード１２は光部品３０、電気部品３２及びコントローラ３４を含む。光部品３０はファイバ１６に結合し、電気部品３２は光部品３０に結合する。コントローラ３４は制御チャネル１８に加えて光部品３０及び電機部品３２双方につながっている。
【００２５】
動作時にあっては、光部品３０はデータに関連する光信号を受信する、通過させる及び送信することを行い、電機部品３２は光部品３０からデータを受信する又は光部品へデータを送信する。電機部品３２はデータソース１４からデータを受信する又はデータソースへデータを送信するが、特定の実施例では、光部品３０は電気部品３２をバイパス（迂回）し、データソース１４からデータを直接的に受信し又はそこへデータを直接的に送信してもよい。更に或る実施例では光部品だけが存在するかもしれない。コントローラ３４は光部品３０及び電気部品３２をそれらが存在する範囲で制御し、制御メッセージ１８を用いて制御メッセージ及びトークンを通知してもよい。
【００２６】
図示の例では、ノード１２は所与の波長又はデータチャネルについて少なくとも３つの動作モードを用意しており、それらは：送信モード、通過モード及び受信モードである。送信モードでは、ノード１２は所与の波長で又は特定のデータチャネルでデータをネットワークに送信するよう動作する。通過モードでは、ノード１２は所与の波長で又は特定のチャネルで伝送されるデータが電気的な処理なしにノード１２を通過することを許可する。受信モードではノード１２は所与の波長で又は特定のチャネルで伝送されたデータをネットワーク１０から受信するよう機能する。特定のどのノード１２も或る波長に関する何らかのモードで又はどの時点ででも複数のモードで動作してよい。かくてモード１２は第１波長又はデータチャネルに関して送信モードで動作し、それと同時に第２波長又はデータチャネルに関して通過モードで動作してもよいことが理解される。
【００２７】
所与の波長又はデータチャネルに関して送信モードである場合に、ノード１２はそのデータチャネルでデータ伝送を認めるトークンを受信する。この状況では、コントローラ３４はデータが送信に利用可能であるか否かを判定してもよい。データが利用可能ならば、コントローラ３４は以下の項目の１つ以上を示す制御メッセージを準備し、隣接ノード１２に通知してもよい。その項目は：データの宛先；データチャネル；データ伝送サイズ；及び／又はデータ伝送タイミングである。制御メッセージの通信後に、コントローラ３４は、制御メッセージで指定されるパラメータに従ってネットワーク１０でデータを伝送するために、光部品３０及び電気部品３２を制御してもよい。
【００２８】
所与の波長又はデータチャネルに関して通過モードである場合に、トークンを含まず且つノード１２が宛先であることも示さない制御メッセージをノード１２は受信する。コントローラ３４は制御メッセージを次の隣接ノード１２に転送し、電気的な処理なしにデータがノード１２を通過することを許可してもよい。言い換えれば、光部品３０は電気部品３２による電気処理なしにデータを次の隣接ノードに単に渡してもよい。この状況の変形例として、ノード１２はデータの通過を許可するが、電気部品３２を用いてデータの複製を格納してもよい。この手法は欠陥管理機能を与える。例えばファイバ１６が切断され且つデータが意図される宛先に到着していなかった場合に、そのデータはノード１２によってその宛先に再度向けられてもよい。
【００２９】
所与の波長又はデータチャネルに関して受信モードである場合に、ノード１２はそれが宛先であることを示す制御メッセージを受信する。この場合に、制御メッセージで指定されるパラメータに従ってコントローラ３４はネットワーク１０でデータを受信するように光部品３０及び電気部品３２を制御してもよい。
【００３０】
これら３つのモード各々を説明するに、図１ｂにおいてノード１２ａからノード１２ｅを経てノード１２ｄ至るデータ伝送を考察する。この例では３つのモード全てが生じる：ノード１２ａは送信モードで動作し；ノード１２ｅは通過モードで動作し；ノード１２ｄは受信モードで動作する。かくてトークン及び制御メッセージが３つすべてのノード１２で処理されてよいが、データ伝送は電気的処理なしにノード１２ｅを通過する。
【００３１】
図３は本発明の様々な実施例における光部品３０を示す。特定の実施例によれば、光部品３０はネットワーク１０で光信号を受信する及び／又は送信するよう機能する。光信号を受信するのに使用されてもよい光部品３０は、分岐カプラ４０、分配カプラ４２及び／又はフィルタ４４を含む。光信号を送信するのに使用されてよい光部品３０は、レーザ４６、合成カプラ４８及び挿入カプラ５０を含む。例えば、ノード１２が特定のデータチャネルに関してネットワーク１０からデータを受信するよう構成されていた場合、分岐カプラ４０、分配カプラ４０及びフィルタは特定のデータチャネルでファイバ１６ｂから光信号を受信するよう動作してよい。ノード１２が特定のデータチャネルでデータをネットワーク１０に送信するよう構成されていた場合、レーザ４６、合成カプラ４８及び挿入カプラ５０は特定のデータチャネルで光信号をファイバ１６ｂに送信するよう機能する。光部品３０は光学的処理なしに光信号を通すように機能してもよい。
【００３２】
ファイバ１６は分岐カプラ４０、分配カプラ４２及びフィルタ４４に結合される。ノード１２が所与のデータチャネルでネットワーク１０からデータを受信するよう構成されていた場合、分岐カプラ４０はファイバ１６ｂで伝送されている光信号を分岐するよう機能し、分配カプラ４２は分岐した信号を分配するよう機能し、及びフィルタ４４は分配された信号を選別するよう機能する。このように、光部品３０はデータソース１４に宛てられたデータのような特定のデータチャネルでネットワークデータを受信するようにファイバ１６ｂに関して機能する。
【００３３】
ファイバ１６ｂはレーザ４６、合成カプラ４８及び挿入カプラ５０にも結合される。ノード１２が特定のデータチャネルでネットワーク１０にデータを送信するよう構成されていた場合、レーザ４６はそのデータに対応する光信号を生成するよう機能し、合成カプラ４８は生成された信号を合成するよう機能し、挿入カプラ５０は合成された信号をファイバ１６ｂに加えるよう機能する。このように光部品３０はデータソース１４により生成されたデータのようなローカルデータを送信するようにファイバ１６ｂに関して機能する。
【００３４】
フィルタ４４及びレーザ４６は調整可能でもよいし固定的でもよいことに留意を要する。静的な構成は、データを送受信するための光部品３０を構築するのにかかる時間を減らすかもしれない。しかしながら動的な構成はより多くの柔軟性をもたらすかもしれない。例えばチューナブルフィルタ及びレーザを用いて、光経路が構築及び再構築されてもよい。残りの説明は主に光部品の実施例に焦点を当てて行われ、その光部品は１以上のチューナブルフィルタ４４及びレーザ４６を含む。しかしながら開示される技法はチューナブルな又はスタティックなフィルタ４４及びレーザ４６と共に使用されてよいことが理解されるべきである。
【００３５】
光部品３０はバーストブロッカ５２を含み、バーストブロッカは或る特性の光信号を分岐させるのに使用されてよい。バーストブロッカによる光信号の除去は、伝送されるデータがファイバ１６で光信号と望まれない衝突を起こさないことを保証する。衝突(collision)は、同一波長の２つの光信号が或る期間内で重複する状況に関連する。異なる波長の光信号は独立であり、WDMネットワークにおける衝突の問題を一切有しない。衝突を避けることに加えて、バーストブロッカは光信号がネットワーク１０に沿って際限なく巡回してしまうことを防ぐ。
【００３６】
フィルタ４４及びレーザ４６がチューナブル（非静的）である場合、光信号の波長並びにソース及び宛先ノードは動的に変わるので、バーストブロッカ５２もチューナブルであることを要する。チューナブルバーストブロッカ５２は、トークン制御バースト伝送によりバースト毎に構築可能である。特定の実施例では、ブロッカ５２は１以上の薄膜フィルタ（TFF:  Thin  Film  Filter）を含み、TFFは波長帯域ベースで信号ブロック機能をもたらすようにサブバンド阻止フィルタとして機能する。例えば、バーストブロッカ５２はノード１２が特定の帯域(バンド)でデータを伝送する時に使用されてもよい。他の実施例では、ブロッカ５２は１以上のTFFを含み、TFFは特定の波長をブロックする波長ブロッカとして機能してもよい。例えばバーストブロッカ５２はノード１２が特定の波長でデータを伝送する時に使用されてもよい。何れの実施例でもブロッカは、特定のバンド（又は波長）を遮るが、他の光信号をほとんど損失なく通すように設計される。
【００３７】
光バースト各々について、ネットワーク１０から光信号をブロックできる又は除去できる場所が２つある。一実施例では、一旦データチャネルが意図される宛先を通過すると、そのデータチャネルはファイバ１６で伝送される複数のデータチャネルから除去されてもよい。言い換えれば、特定の実施例では、バーストブロッカ５２は宛先でデータチャネルを除去するよう機能し、意図される宛先を超えてバーストが一切巡回しないようにしてもよい。そのようなバーストブロッカ５２は所謂「宛先除去機能(destination  stripping)」を実行する。宛先除去機能を利用するネットワークでは、各受信ノード１２は、動的な手法で指定される時点で波長のバンド又は所定の波長を阻止する又は通過させるように構築されたバーストブロッカ５２を含む。特定の実施例では宛先除去を行うバーストブロッカは、ネットワーク１０でどのノード１２によっても使用される波長又はバンド各々に対して形成されたTFFを含んでもよい。宛先除去バーストブロッカのTFFは動的に構築されてもよく、トークン制御を介して再構築されてもよい。宛先除去バーストブロッカでブロックされる波長又は波長帯域は固定されていないので、宛先除去バーストブロッカ５２は空間的な再利用を許容する。例えばソースノードとしてのノード１２ａが宛先ノードとしてのノード１２ｄにトークン制御された光伝送内容を送信する場合に、ノード１２ｄは或るバーストブロッカ５２を含み、そのバーストブロッカは光信号を受信した時点でリング１６からそれを除去するよう機能する。光伝送信号はノード１２ｄを超えて巡回しないので、そのリング内の他のノード１２は、ノード１２ａからノード１２ｄへのトークン制御光伝送と同じ波長で光信号を同時に送信してもよい。従ってノード１２ｃは、ノード１２ｄへ光伝送信号をノード１２ａから送信するのに使用されたのと同じ波長で、ノード１２ｂに光伝送信号を送信してもよい。重複していないネットワークセグメントで同一波長の複数のバースト伝送信号が許容されるので、ネットワーク１０は空間的に再利用可能であるといえる。
【００３８】
別の実施例では、データチャネル信号はそのデータチャネルがソースに戻されるとファイバ１６から除去されてもよい。従ってバーストブロッカ５２は特定の実施例では「ソース除去機能(source  stripping)」を実行するように構成されてよい。ソース除去機能を利用するネットワークでは、各送信ノード１２はトークン制御データチャネルをブロックするように構築されたバーストブロッカ５２を含み、戻って来るデータチャネルが、同じ波長又は帯域でネットワーク１０を伝搬する以後の光バーストと衝突しないようにする。特定の実施例では、ソース除去バーストブロッカは、そのバーストブロッカ５２に関連するノード１２により送信される波長又は帯域各々についてTFFを含んでよい。宛先除去バーストブロッカと同様に、ソース除去バーストブロッカのTFFは動的に構築可能であってよく、トークン制御を介して再構築されてもよい。しかしながらソース除去バーストブロッカのTFF設計は宛先除去バーストブロッカのものより簡易である。なぜならソース除去バーストブロッカ送信するノードにより加えられる特定の波長又は帯域で動作することしか要しないからである。言い換えれば、ソース除去バーストブロッカは別ノード１２から始まった通過バーストをブロックする必要がない。しかしながら、ソース除去バーストブロッカにより遮られる波長又は帯域は固定されているので、ソース除去バーストブロッカは空間的再利用の恩恵を受けにくい。
【００３９】
例えば、ソースノードとしてのノード１２ａがトークン制御データチャネル伝送信号を宛先ノードとしてのノード１２ｄに送信した場合、光バーストはそこを通り、ノード１２で分岐される。光信号又は光バーストはその後にリング１６に沿って同一方向に進み、ノード１２ａに戻るまで進み続ける。ノード１２ａは特定の実施例では或るバーストブロッカ５２を含み、そのバーストブロッカ５２は戻ってくる光信号を受信した時にそれをリング１６から除去するよう機能する。光伝送信号はそれが除去される前にリング１６全体を巡るが、データチャネルがノード１２ａに戻される場合に通過ノードとして機能するノード１２（即ち、上記の例ではノード１２ｃ，１２ｂ）は、ノード１２ａからノード１２ｄへのトークン制御光伝送信号と同一データチャネルで光信号を同時には送信しない。しかしながらソース除去の利点は、光伝送に先立ってデータチャネルがクリーンである（邪魔な信号がない）ことがソースノード１２に保証されていることである。
【００４０】
図３では特定のコンポーネントが図示及び説明されたが、コンポーネントが適切な機能を提供する限り、他のコンポーネントが加えられてもよいし及び／又はコンポーネントが除去されてもよい。また、図３はファイバ１６ｂを利用する伝送に対応するコンポーネントを示すが、同様な又は異なる光コンポーネントがファイバ１６ａでの伝送に関連して使用されてもよい。
【００４１】
図４及び図５にはバーストブロッカ５２の具体例が更に詳細に説明されている。具体的には図４は本発明の一実施例による可変構成のバーストブロッカ１００を示す。図示の例ではバーストブロッカ１００は第１フィルタ１０２、第２フィルタ１０４及び第３フィルタ１０６を含む。しかしながら図示の例は可変構成のバーストブロッカ１００の一例に過ぎないことが理解されるべきである。バーストブロッカ１００は、トークン制御データ伝送を動的にブロックするのに適切であるように、より多数の若しくはより少数のフィルタを又は他のコンポーネントを含んでもよい。またバーストブロッカ１００はトークンコントローラ１１０から受信したトークンに応答して選択的に開閉動作を行うスイッチを含む。特定の実施例ではスイッチ１０８は、サブマイクロ秒のスイッチング時間で動作する電気光学(EO)スイッチを含んでもよい。スイッチ１０８が開放位置にある場合、バーストブロッカ１００は伝送リング１６から光バーストを除去するよう機能する。
【００４２】
例示的な筋書き（シナリオ）では、バーストブロッカ１００は複数のデータチャネルの光伝送信号の中で特定のデータチャネルをブロックするように設計される。例えばバーストブロッカ１００は波長λ1に対応するデータチャネルをブロックするように設計されてよい。従ってバーストブロッカ１００はλ1に対応する中心周波数を有するフィルタ１０２，１０４，１０６を含んでもよい。特定の実施例では、フィルタ１０２，１０４，１０６は薄膜フィルタ（TFF）の適切な組み合わせを含んでよい。動作時にあっては、到来する信号１１２は第１フィルタ１０２に入り、第１フィルタは信号の第１部分１１４を分岐（ドロップ）するよう機能する。この例では第１部分１１４は波長λ1に対応するデータチャネルである。信号の第２部分１１６は第２フィルタ１０４に伝送され、進出信号１１８の少なくとも一部になる。波長λ1を有する分岐した第１部分１１４はスイッチ１０８に伝送され、スイッチはトークンコントローラ１１０で選択的に制御される。具体的にはスイッチ１０８が「開いた」位置にある場合に、第１部分１１４は分岐させられる又はブロックされる。逆に、スイッチ１０８が「閉じた」位置にある場合、第１部分１１４は第３フィルタ１０６に伝送され、第３フィルタは第１部分１１４を進出信号に加えるよう機能する。
【００４３】
図示の例では、第２フィルタ１０４は進出信号で波長λ1を更に抑圧するのに使用される。例えば第１フィルタ１０２が第２部分１１６に僅かな波長λ1成分を残している場合に、第２フィルタ１０４は波長λ1の残留部分を第２部分１１６から除去してもよい。この場合、第１フィルタ１０２及び第２フィルタ１０４は波長λ1の如何なる光信号をも累積的に光リング１６から除去する又は実質的に除去するように機能してよい。残留部分１２０は波長λ1の僅かな成分しか有しないので、残留部分１２０はスイッチ１０８には伝送されなくてよい。従って残留部分１２０は信号１０８が開放位置又は閉位置にあるか否かによらずブロックされる。
【００４４】
ソース除去設計法の場合、バーストブロッカ１００のコンフィギュレーション及び再コンフィギュレーションは、レーザのコンフィギュレーション及び再コンフィギュレーションに合うよう調整される。例えばバーストブロッカ１００が図３の光コンポーネント３０に設けられていた場合、バーストブロッカ１００はレーザ４６のコンフィギュレーション及び再コンフィギュレーションに合わせて調整される。従ってレーザ４６が一定の波長λ1でトークン制御光信号を送信する場合、スイッチ１０８の開閉はレーザ４６でのλ1のレーザのコンフィギュレーションに合わせられる。λ1のレーザが発振する場合、トークンコントローラ１１０はスイッチ１０８を開き、波長λ1の到来する如何なる光信号をも遮り、進出伝送信号との衝突を回避する。しかしながらλ1のレーザが発振していない場合は、トークンコントローラ１１０はスイッチ１０８を閉じて、波長λ1の光信号がバーストブロッカを介して単に通過し、以後ほとんどロスなしにカプラ５０に加わるようにする。何れのシナリオでも、λ1と異なる波長の如何なるデータチャネルもほとんどロスなしにバーストブロッカ１００を介して通過する。
【００４５】
上述のソース除去の場合、リング１６上の各ノード１２はその特定のノード内でカプラ５０に加わるように接続されたレーザ４６各々についてバーストブロッカ１００を含む。バーストブロッカ１００の波長又はバンド及びレーザ４６の波長又はバンドは一致している。例えばノード１２がλ1，λ2及びλ3で送信するためにレーザ４６を備えていた場合、ノード１２もそれら３つの波長で送信される光バーストをブロックするためのバーストブロッカを含んでいる。ノード１２により１より多くの波長又は帯域で送信するために複数のレーザが使用される場合には、複数のバーストブロッカ１００が分岐カプラ４０及び挿入カプラ５０の間に共にカスケード接続される。そのような例（バーストブロッカ１００がソース除去に使用される例）では、リング１６は少なくとも１つの阻止フィルタを含み、実際のバースト伝送の周波数スペクトル外の信号及びノイズを選別する。阻止フィルタは増幅された自然放出ノイズのようなノイズがリング１６に沿って巡回することを防ぐ。
【００４６】
バーストブロッカ１００は宛先除去用に使用されてもよい。しかしながら複数のバーストブロッカ１００を共にカスケード接続することは複雑な設計内容になってしまうかもしれないので、バーストブロッカ１００はより簡易な観点からは宛先除去よりもソース除去に向いているかもしれない。上述したように、ソース除去バーストブロッカは特定のノード１２が送信する帯域又は波長各々についてフィルタを含む。従ってノード１２ａがλ1，λ2及びλ3で送信を行う場合に、ソース除去バーストブロッカ１００は波長λ1，λ2及びλ3各々について第１，第２及び第３の一連のフィルタを含むであろう。これに対して宛先除去バーストブロッカは、リング１６の全てのノード１２が送信するかもしれない波長各々についてフィルタを有する。上記の例に続いて、ノード１２ａがλ1，λ2及びλ3で送信し、ノード１２ｂがλ4で送信し、ノード１２ｃがλ5で送信し、ノード１２ｄがλ6で送信する場合に、宛先除去バーストブロッカ１００はλ1，λ2，λ3，λ4，λ5及びλ6各々について第１，第２及び第３の一連のフィルタを含んでもよい。従って、複数の波長又は波長帯域のバーストがノード１２でブロックされることを要する場合、図４のデザインは煩雑になるかもれない。
【００４７】
図５は本発明の別の実施例による複数の波長又は帯域をブロックする可変構成のバーストブロッカ２００を示す。図示の例では、バーストブロッカ２００は分離(demux)フィルタ202a-zのバンク及び多重(mux)フィルタ204a-zのバンクを含む。特定の実施例では分離フィルタ202a-z及び多重フィルタ202a-zは適切なTFFの組み合わせを含んでよい。図示の例では各分離フィルタ202a-zが多重フィルタ204a-zと共にペアにされ、スイッチ206a-zはそのペアを分離する。スイッチ206a-zはトークンコントローラ208から受信したトークンに応じて選択的に開閉を行うよう機能する。特定の実施例ではスイッチ206a-zは、サブマイクロ秒のスイッチング時間で動作するEOスイッチを含む。具体的には、スイッチ206a-zが開いた位置にあった場合、バーストブロッカ２００は伝送リング１６から特定のデータチャネルを除去するよう機能する。分離及び多重フィルタのバンクが図示されているが、概してバーストブロッカ２００は、唯１つのデータチャネルがバーストブロッカ２００によりブロックされる場合には、１つの分離フィルタ２０２及び１つの多重フィルタ２０４を含むことが理解されるであろう。
【００４８】
図示の例では、各分離フィルタ202a-zは到来する信号210から特定の波長又はバンドを除去するよう構成される。分離フィルタ202a-zのバンクは到来する信号２１０を複数の個々のデータチャネルに分離するように協働する。例示的なシナリオでは、到来する信号２１０は第１の分離フィルタに入り、分離フィルタは波長λ1に対応するデータチャネルをブロックするよう設計される。かくて第1分離フィルタ202aはλ1に対応する中心周波数を有し、波長λ1を含む信号の第1部分212aを分岐するよう機能する。波長λ1を含む分岐した第1部分212aはスイッチ206aに送信され、スイッチはトークンコントローラ208により選択的に制御される。スイッチ206aが「開いた」位置にあった場合、第１部分212aは分岐される又はブロックされる。逆に、スイッチ206aが図示されているように閉じた位置にあった場合、第1部分212aは第１多重フィルタ204aに渡され、多重フィルタは進出信号214になるものにその第１部分212aを加え直すように機能する。かくてスイッチ206aの切り換えポジションは、光バーストがリング１６上から分岐されるか又はそこで継続されるかを決める。
【００４９】
続いてこの具体例のシナリオでは、λ1に対応しないデータチャネルは第２分離フィルタ202bに伝送され、第２分離フィルタは波長λ2に対応するデータチャネルをブロックするよう設計されている。かくて第２分離フィルタ202bはλ2に対応する中心周波数を有し、波長λ2を含む信号の第２部分212bを分岐するように機能する。波長λ2を含む分岐させられた第２部分212bはその後にスイッチ206bに伝送され、スイッチはトークンコントローラ208により選択的に制御される。上述したようにスイッチ206bが「開いた」位置にあった場合、第２部分212bは分岐させられる又はブロックされる。逆に図示されているようにスイッチ206bが「閉じた」位置にあった場合、第２部分212bは第２多重フィルタ204bに伝送され、第２多重フィルタは第２部分212bを第１部分212aに加えるよう機能する。
【００５０】
多重フィルタ204a-z及び分離フィルタ202a-zのバンクは、この手法で、到来信号210中の複数の波長又はバンクが同様に処理されるまで動作する。図示の例ではスイッチ206zのみが開いている。従ってスイッチ206zに関連する分離フィルタ202zは光バーストを遮るように機能する。かくて分離フィルタ202zが波長λnの光波長をブロックするように設計され且つλnに対応する中心周波数を有していたならば、波長λnの到来信号の一部分のみがブロックされる。このシナリオでは、多重フィルタ204zはブロックされた波長を進出信号214に加え直すようには動作しない。
【００５１】
バーストブロッカ２００は複数の波長又は波長バンドをブロックするのに一層簡易に機能できるので、バーストブロッカ２００は宛先除去設計によく適している。ソース除去設計法では、ノード１２が特定のデータチャネルで送信するためのレーザを含んでいなかった場合に、そのデータチャネルに関連する分離−多重フィルタ対は排除される。或いは、データチャネルに関連するスイッチ206は「閉じた」位置に永続的に設定されてもよい。なぜなら、そのデータチャネルでの光バーストはそのノード１２でブロックされないからである。逆に、ノード１２が送信を行う波長に関連するスイッチ206はトークンコントローラ208により動的に構成されてよく、トークンコントローラはスイッチの位置及びレーザ送信の双方を制御してよい。
【００５２】
バーストブロッカ２００のコンフィギュレーションによる設計上の利点として、分離フィルタ202a-zのバンクの送信部分は多重フィルタ204a-zのバンクに接続されていない。その結果、ASEのようなノイズが選別され、進出信号214には加えられない。従って阻止フィルタはリング１６から省略されてもよい。
【００５３】
図６は通信ネットワークでデータ伝送をブロックする方法を示すフローチャートである。本方法はステップ300から始まり、データ伝送用のウインドウが決定される。特定の実施例では、ウインドウの決定は、データチャネルの伝送を認証する又は予定するトークンが受信された場合になされてもよい。トークンは制御メッセージとして受信されてもよい。トークンにより指定されるウインドウは送信タイミングを含んでもよい。例えば、トークンは開始時間及び停止時間を指定してもよい。
【００５４】
ステップ３０２ではそのデータチャネルの伝送に関連する波長が決定される。波長は特定の波長又は波長のバンドを指定してもよく、その波長等はデータチャネルを伝送するために特定されたウインドウの時間の間確保される。特定の実施例では、データ伝送を認証する又はスケジュールするトークンで又は他の制御メッセージで波長情報が受信されてもよい。
【００５５】
ステップ304では、ウインドウスタートが始まったか否かの判定がなされる。例えばウインドウが開始時間のような送信タイミングを含んでいた場合、その開始時間になった又はそれを経過したか否かについての判定がなされてもよい。ウインドウ開始時間になっていなかったりそれを経過していなかった場合、本方法はステップ３０４を介して巡回し続け、ウインドウ開始時間が訪れる又はそれを過ぎたことが確認されるまで必要に応じて確認が反復される。この時点でバーストブロッカ５２はステップ３０６に従事している。ソース除去設計が実現されていた場合、バーストブロッカ５２を利用することは、予定されるデータ伝送のソースノード１２に関連するバーストブロッカ５２を利用することを含んでもよい。宛先除去バーストブロッカ５２が実現されていた場合、バーストブロッカ５２を利用することは、予定されているデータ伝送の宛先ノード１２に関するバーストブロッカを利用することを含んでもよい。使用されるバーストブロッカの動作は上記の図４及び図５に関して詳細に説明されている。
【００５６】
ステップ３０８ではデータ伝送に関連するウインドウが経過したか否かについての判定がなされる。例えばウインドウが停止時間のような伝送タイミングを含んでいた場合、その停止時間が経過したか否かについての判定がなされる。ウインドウ停止時間が経過していなかったならば、本方法はステップ３０８を介して巡回し続け、ウインドウ停止時間が経過したことが確認されるまでその判定が連続的に又は周期的に反復される。この時点でバーストブロッカ５２はステップ３１０で解放される。ソース除去設計が実現される場合には、バーストブロッカ５２を解放することは、予定されるデータチャネル伝送のソースノード１２に関連するバートブロッカを解放することを含んでよい。宛先除去バーストブロッカ５２が実現される場合、バーストブロッカ５２を解放することは、予定されたデータチャネル伝送の宛先ノード１２に関連するバーストブロッカを解放することを含んでもよい。そして本方法はステップ３００に戻り、ステップ３００−３１０が後続のトークン制御データチャネル伝送について反復される。
【００５７】
手順の図及びフローチャートは、通信ネットワークにおけるトークン制御データチャネル伝送に関する特定の方法を示す。しかしながらこれらの図及びフローチャートは動作方法例を示すに過ぎず、ネットワーク１０は上記の機能を実行するアプリケーション、要素及び技法の適切な如何なるものをも利用するノード１２を想定している。かくてダイアグラム及びフローチャート中の多数のステップは図示されているものとは異なる順序で及び／又は同時に行われてもよい。更にノード１２は本方法が適切なままである限り、更なるステップを有する又はより少数のステップを有する方法を利用してもよい。更に、中間ノード１２、宛先ノード１２又は他の適切なコンポーネントのようなネットワーク１０の他の要素が、トークンを利用してネットワーク１０の中でデータを送信する同様の技法を実行してもよい。
【００５８】
以上本発明が複数の実施例で説明されてきたが、多数の変更及び修正が当業者に示唆されるであろうし、本発明はそのような変更及び修正を添付の特許請求の範囲内に包含することが意図される。
【００５９】
以下、本発明により教示される手段が例示的に列挙される。
【００６０】
（付記１）
複数のデータチャネルを有する光伝送媒体に結合されたデータインターフェースと、
コントローラと、
を有する光ノードであって、前記コントローラは、
データチャネル及び時間ウインドウの１つを指定する伝送データを有するトークンを受信し、
前記伝送データの少なくとも一部に基づいて、前記光伝送媒体における指定されたデータチャネルの選択的な通信用に、バーストブロッカを選択的に構成し、
前記バーストブロッカは前記コントローラに結合され且つ前記バーストブロッカは、
前記複数のデータチャネルから特定のデータチャネルを分け、
第１コンフィギュレーションでは、宛先ノードに向けて複数のデータチャネルの伝送用の複数のデータチャネルに前記特定のデータチャネルを復帰させ、
第２コンフィギュレーションでは、前記光ノードを超える前記特定のデータチャネルの伝搬を防ぐように前記特定のデータチャネルをブロックするように前記コントローラにより構築可能であり、
前記バーストブロッカは前記第２コンフィギュレーションでは前記時間ウインドウ内で動作する
ことを特徴とする光ノード。
【００６１】
（付記２）
前記特定のデータチャネルは、特定の波長の光伝送を含む
ことを特徴とする付記１記載の光ノード。
【００６２】
（付記３）
前記特定のデータチャネルは、特定の波長帯域内の光伝送を含む
ことを特徴とする付記１記載の光ノード。
【００６３】
（付記４）
前記バーストブロッカが、
前記複数のデータチャネルから前記特定のデータチャネルを分けるよう機能する第１フィルタと、
前記第１フィルタに結合され、前記特定のデータチャネルを受信するよう機能するスイッチと、
前記スイッチに結合され、前記スイッチが第１コンフィギュレーションであった場合に、前記特定のデータチャネルを前記複数のデータチャネルに復帰させるよう機能する第２フィルタと、
を有し、前記スイッチは、
第１コンフィギュレーションでは、前記特定のデータチャネルを通過させ、
第２コンフィギュレーションでは、前記特定のデータチャネルをブロックする
ように前記コントローラにより構築可能である、
ことを特徴とする付記１記載の光ノード。
【００６４】
（付記５）
前記第１及び第２フィルタが、第１及び第２の薄膜フィルタを有する
ことを特徴とする付記４記載の光ノード。
【００６５】
（付記６）
前記スイッチが、第１及び第２コンフィギュレーションの間でマイクロ秒より短い間に切り替わる電気光学(EO)スイッチで構成される
ことを特徴とする付記４記載の光ノード。
【００６６】
（付記７）
前記バーストブロッカが、
複数の分離フィルタと、
複数のスイッチと、
複数の分離フィルタと、
を有し、前記分離フィルタの各々は、前記複数のデータチャネルから関連するデータチャネルを分けるよう機能し、
前記スイッチの各々は関連する分離フィルタに結合され、該関連する分離フィルタから関連するデータチャネルを受信するよう機能し、前記スイッチは、
第１コンフィギュレーションでは、受信した関連するデータチャネルを通過させ、
第２コンフィギュレーションでは、受信した関連するデータチャネルをブロックする
ように前記コントローラにより構築可能であり、
多重フィルタの各々は、関連するスイッチに結合され、関連するスイッチが前記第１コンフィギュレーションであった場合に、受信した関連するデータチャネルを前記複数のデータチャネルに復帰させるよう動作する
ことを特徴とする付記１記載の光ノード。
【００６７】
（付記８）
前記複数の多重フィルタが複数の多重薄膜フィルタを有し、前記複数の分離フィルタが複数の分離薄膜フィルタを有する
ことを特徴とする付記７記載の光ノード。
【００６８】
（付記９）
複数の分離フィルタの各々が、関連する波長を複数のデータチャネルから除去するよう機能する
ことを特徴とする付記７記載の光ノード。
【００６９】
（付記１０）
前記複数の分離フィルタの各々が、関連する波長バンドを複数のデータチャネルから分離するよう機能する
ことを特徴とする付記７記載の光ノード。
【００７０】
（付記１１）
前記複数のスイッチの各々が、第１及び第２コンフィギュレーションの間でマイクロ秒より短い間に切り替わる電気光学(EO)スイッチで構成される
ことを特徴とする付記７記載の光ノード。
【００７１】
（付記１２）
前記バーストブロッカが分岐カプラ及び挿入カプラに結合され、前記バーストブロッカは前記分岐カプラ又は前記挿入カプラの少なくとも一方から複数のデータチャネルを受信するよう機能し、前記バーストブロッカは前記分岐カプラ又は前記挿入カプラの他方に前記データチャネルの少なくとも一部を伝送するように機能する
ことを特徴とする付記１記載の光ノード。
【００７２】
（付記１３）
前記伝送データが特定のデータチャネルについての宛先ノードを指定し、当該光ノードが前記宛先ノードであった場合に、該宛先ノードを超える前記特定のデータチャネルの伝送を防ぐように前記コントローラは前記第２コンフィギュレーションで前記バーストブロッカを構築するよう機能する
ことを特徴とする付記１記載の光ノード。
【００７３】
（付記１４）
前記伝送データが特定のデータチャネルについてのソースノードを指定し、当該光ノードがソースノードであった場合に、該ソースノードを超える前記特定のデータチャネルの更なる伝送を防ぐように、前記コントローラは前記第２コンフィギュレーションで前記バーストブロッカを構築するよう機能する
ことを特徴とする付記１記載の光ノード。
【００７４】
（付記１５）
複数のデータチャネルを有する光伝送媒体に結合された第１フィルタと、
前記第１フィルタに結合されたスイッチと、
前記スイッチ及び前記第１フィルタに結合された第２フィルタと、
を有する光ノードのバーストブロッカであって、前記第１フィルタは、複数のデータチャネルを有する光伝送信号を受信し、特定のデータチャネルを前記複数のデータチャネルから分けるよう機能し、前記スイッチは、
前記特定のデータチャネルを受信し、
第１コンフィギュレーションでは、宛先ノードに向けて複数のデータチャネルの伝送用に前記特定のデータチャネルを通過させ、
第２コンフィギュレーションでは、前記光ノードを超える前記特定のデータチャネルの伝搬を防ぐように前記特定のデータチャネルをブロックし、前記第２フィルタは、
前記複数のデータチャネルの少なくとも一部を前記第１フィルタから受信し、
前記スイッチが前記第１コンフィギュレーションであった場合に、特定のデータチャネルを前記複数のデータチャネルに復帰させる
ことを特徴とするバーストブロッカ。
【００７５】
（付記１６）
前記バーストブロッカが、前記特定のデータチャネル及び時間ウインドウを指定する伝送データを有するトークンを受信するよう機能するコントローラに結合され、前記バーストブロッカは第２コンフィギュレーションでは前記時間ウインドウで動作する
ことを特徴とする付記１５記載のバーストブロッカ。
【００７６】
（付記１７）
前記第１及び第２フィルタの間に結合された第３フィルタを更に有し、前記第３フィルタは、
前記複数のデータチャネルの一部を前記第１フィルタから受信し、
前記特定のデータチャネルのトレース部分を前記複数のデータチャネルの一部から除去するように、前記複数のデータチャネルの一部を選別し、
前記複数のデータチャネルの残りの部分を前記第３フィルタに伝送する
ことを特徴とする付記１５記載のバーストブロッカ。
【００７７】
（付記１８）
前記特定のデータチャネルは、特定の波長の光伝送を含む
ことを特徴とする付記１５記載のバーストブロッカ。
【００７８】
（付記１９）
前記特定のデータチャネルは、特定の波長帯域内の光伝送を含む
ことを特徴とする付記１５記載のバーストブロッカ。
【００７９】
（付記２０）
前記第１及び第２フィルタが、第１及び第２の薄膜フィルタを有する
ことを特徴とする付記１５記載のバーストブロッカ。
【００８０】
（付記２１）
前記スイッチが、第１及び第２コンフィギュレーションの間でマイクロ秒より短い間に切り替わる電気光学(EO)スイッチで構成される
ことを特徴とする付記１５記載のバーストブロッカ。
【００８１】
（付記２２）
前記第１フィルタが、前記分岐カプラ又は前記挿入カプラの一方から複数のデータチャネルを受信するよう機能し、前記第２フィルタは前記分岐カプラ又は前記挿入カプラの他方に前記複数のデータチャネルの一部を伝送するように機能する
ことを特徴とする付記１５記載のバーストブロッカ。
【００８２】
（付記２３）
当該バーストブロッカが前記特定のデータチャネルについての宛先光ノードとして指定される光ノードに組み込まれ、前記スイッチは、該宛先ノードを超える前記特定のデータチャネルの伝送を防ぐように前記第２コンフィギュレーションで機能する
ことを特徴とする付記１５記載のバーストブロッカ。
【００８３】
（付記２４）
当該バーストブロッカが前記特定のデータチャネルについてのソース光ノードとして指定される光ノードに組み込まれ、前記スイッチは、該ソースノードを超える前記特定のデータチャネルの更なる伝送を防ぐように前記第２コンフィギュレーションで機能する
ことを特徴とする付記１５記載のバーストブロッカ。
【００８４】
（付記２５）
複数のデータチャネルの１つ及び時間ウインドウを指定する伝送データを有するトークンを受信するステップと、
前記伝送データの少なくとも一部に基づいて、複数のデータチャネルを有する光伝送媒体で指定されたデータチャネルでの選択的な通信を行うためにバーストブロッカを選択的に構築するステップと、
を有するトークン制御データ伝送のための方法であって、前記バーストブロッカを選択的に構築するステップは、
前記複数のデータチャネルから特定のデータチャネルを分けるステップと、
第１コンフィギュレーションでは、前記時間ウインドウ以外の期間内に、宛先ノードに向けて複数のデータチャネルの伝送用の複数のデータチャネルに前記特定のデータチャネルを復帰させるように前記データブロッカを構築するステップと、
第２コンフィギュレーションでは、前記時間ウインドウの期間内に、前記特定のデータチャネルの伝搬を防ぐように前記特定のデータチャネルをブロックするように前記バーストブロッカを構築するステップと、
を有することを特徴とする特徴とする方法。
【００８５】
（付記２６）
前記特定のデータチャネルは、特定の波長の光伝送を含む
ことを特徴とする付記２５記載の方法。
【００８６】
（付記２７）
前記特定のデータチャネルは、特定の波長帯域内の光伝送を含む
ことを特徴とする付記２５記載の方法。
【００８７】
（付記２８）
第１スプリッタを利用して、前記複数のデータチャネルから前記特定のデータチャネルを分けるステップと、
前記第１コンフィギュレーションでは前記伝送データの少なくとも一部に基づいて前記特定のデータチャネルを通過させ、第２コンフィギュレーションでは前記特定のデータチャネルをブロックするように切り換えるステップと、
前記スイッチに結合された第２フィルタを利用して、前記スイッチが第１コンフィギュレーションであった場合に前記特定のデータチャネルを前記複数のデータチャネルに復帰させるステップと、
を更に有することを特徴とする付記２５記載の方法。
【００８８】
（付記２９）
前記第１フィルタを利用することが第１薄膜フィルタを利用することを含み、前記第２フィルタを利用することが第２薄膜フィルタを利用することを含む
ことを特徴とする付記２８記載の方法。
【００８９】
（付記３０）
前記スイッチが、第１及び第２コンフィギュレーションの間でマイクロ秒より短い間に切り替わる電気光学(EO)スイッチで構成される
ことを特徴とする付記２８記載の方法。
【００９０】
（付記３１）
複数の分離フィルタで複数のデータチャネルを受信するステップと、
前記分離フィルタの各々を用いて、関連するデータチャネルを前記複数のデータチャネルから分けるステップと、
複数の関連するスイッチで関連するデータチャネルを受信するステップと、
各スイッチで、該スイッチが第１コンフィギュレーションであった場合には、受信した関連するデータチャネルを関連する多重フィルタに伝送するステップと、
各スイッチで、該スイッチが第２コンフィギュレーションであった場合には、受信した関連するデータチャネルをブロックするステップと、
各多重フィルタで、関連するスイッチが第１コンフィギュレーションであった場合に、受信した関連するデータチャネルを複数のデータチャネルに復帰させるステップと、
を更に有することを特徴とする付記２５記載の方法。
【００９１】
（付記３２）
前記複数の多重フィルタが複数の多重薄膜フィルタを有し、前記複数の分離フィルタが複数の分離薄膜フィルタを有する
ことを特徴とする付記３１記載の方法。
【００９２】
（付記３３）
前記分離フィルタの各々を用いて、関連するデータチャネルを前記複数のデータチャネルから分けるステップが、分離フィルタ各々を用いて、関連する波長を複数のデータチャネルから除去するよう機能するステップを有する
ことを特徴とする付記３１記載の方法。
【００９３】
（付記３４）
前記分離フィルタの各々を用いて、関連するデータチャネルを前記複数のデータチャネルから分けるステップが、分離フィルタ各々を用いて、関連する波長バンドを複数のデータチャネルから分離するよう機能する
ことを特徴とする付記３１記載の方法。
【００９４】
（付記３５）
前記スイッチが、第１及び第２コンフィギュレーションの間でマイクロ秒より短い間に切り替わる電気光学(EO)スイッチで構成される
ことを特徴とする付記３１記載の方法。
【００９５】
（付記３６）
前記光ノードが特定のデータチャネルについての宛先ノードであるように伝送データで特定される場合に、該宛先ノードを超える前記特定のデータチャネルの伝送を防ぐように前記第２コンフィギュレーションで前記バーストブロッカを構築するステップ
を更に有することを特徴とする付記２５記載の方法。
【００９６】
（付記３７）
前記光ノードが特定のデータチャネルについてのソースノードであるように伝送データで特定される場合に、該ソースノードを超える前記特定のデータチャネルの伝送を防ぐように前記第２コンフィギュレーションで前記バーストブロッカを構築するステップ
を更に有することを特徴とする付記２５記載の方法。
【００９７】
（付記３８）
トークン制御されたデータ伝送のための方法であって、
複数のデータチャネルを有する光伝送信号を受信するステップと、
第１フィルタを用いて、特定のデータチャネルを複数のデータチャネルから分けるステップと、
前記特定のデータチャネルをスイッチで受信するステップと、
前記スイッチが第１コンフィギュレーションであった場合には前記特定のデータチャネルを通過させ、前記スイッチが第２コンフィギュレーションであった場合には前記特定のデータチャネルをブロックするステップと、
第２フィルタで、前記複数のデータチャネルの少なくとも一部を前記第１フィルタから受信するステップと、
前記スイッチが前記第１コンフィギュレーションであった場合に、前記特定のデータチャネルを前記複数のデータチャネルに復帰させるステップと、
を有することを特徴とする方法。
【００９８】
（付記３９）
前記スイッチを用いて前記特定のデータチャネルを通過させる又はブロックするステップが、
時間ウインドウを有するコンフィギュレーションデータをコントローラから受信するステップと、
前記第１コンフィギュレーションでは前記時間ウインドウ内で前記スイッチを構築するステップと、
前記第２コンフィギュレーションでは前記時間ウインドウ外で前記スイッチを構築するステップと、  
を有することを特徴とする付記３８記載の方法。
【００９９】
（付記４０）
前記第１及び第２フィルタの間に第３フィルタを結合するステップと、
前記第３フィルタで、前記複数のデータチャネルの少なくとも一部を前記第１フィルタから受信するステップと、
前記特定のデータチャネルのトレース部分を前記データチャネルの一部から除去するように、前記複数のデータチャネルの一部を選別するステップと、
前記データチャネルの残りの部分を前記第３フィルタに伝送するステップと、
を有することを特徴とする付記３８記載の方法。
【０１００】
（付記４１）
第１フィルタを用いて、特定のデータチャネルを複数のデータチャネルから分けるステップが、前記第１フィルタを用いて、前記複数のデータチャネルから特定の波長の光伝送を分けるステップを有する
ことを特徴とする付記３８記載の方法。
【０１０１】
（付記４２）
第１フィルタを用いて、特定のデータチャネルを複数のデータチャネルから分けるステップが、前記第１フィルタを用いて、前記複数のデータチャネルから特定の波長帯域を分けるステップを有する
ことを特徴とする付記３８記載の方法。
【０１０２】
（付記４３）
前記第１及び第２フィルタが、第１及び第２の薄膜フィルタを有する
ことを特徴とする付記３８記載の方法。
【０１０３】
（付記４４）
前記スイッチが、第１及び第２コンフィギュレーションの間でマイクロ秒より短い間に切り替わる電気光学(EO)スイッチで構成される
ことを特徴とする付記３８記載の方法。
【０１０４】
（付記４５）
前記第１フィルタで、前記分岐カプラ又は前記挿入カプラの一方から複数のデータチャネルを受信するステップと、
前記第２フィルタで、前記分岐カプラ又は前記挿入カプラの他方に前記複数のデータチャネルの一部を伝送するステップと、
を更に有することを特徴とする付記３８記載の方法。
【０１０５】
（付記４６）
前記バーストブロッカが前記特定のデータチャネルについての宛先光ノードとして指定される光ノードに組み込まれる場合に、前記スイッチを第２コンフィギュレーションに構成するステップと、
該宛先ノードを超える前記特定のデータチャネルの伝送を防ぐステップと、
を更に有することを特徴とする付記３８記載の方法。
【０１０６】
（付記４７）
前記バーストブロッカが前記特定のデータチャネルについてのソース光ノードとして指定される光ノードに組み込まれる場合に、前記スイッチを第２コンフィギュレーションに構成するステップと、
該ソースノードを超える前記特定のデータチャネルの更なる伝送を防ぐステップと、
を更に有することを特徴とする付記１５記載のバーストブロッカ。
【０１０７】
（付記４８）
トークン制御データ伝送のための、記憶媒体に組み込まれた論理装置であって、
複数のデータチャネルの１つ及び時間ウインドウを指定する伝送データを有するトークンを受信するステップと、
前記伝送データの少なくとも一部に基づいて、複数のデータチャネルを有する光伝送媒体で指定されたデータチャネルでの選択的な通信を行うためにバーストブロッカを選択的に構築するステップと、
をコンピュータに実行させ、前記バーストブロッカを選択的に構築するステップは、
前記複数のデータチャネルから特定のデータチャネルを分けるステップと、
第１コンフィギュレーションでは、前記時間ウインドウ以外の期間内に、宛先ノードに向けて複数のデータチャネルの伝送用の複数のデータチャネルに前記特定のデータチャネルを復帰させるように前記データブロッカを構築するステップと、
第２コンフィギュレーションでは、前記時間ウインドウの期間内に、前記特定のデータチャネルの伝搬を防ぐように前記特定のデータチャネルをブロックするように前記バーストブロッカを構築するステップと、
ことを特徴とする特徴とする論理装置。
【０１０８】
（付記４９）
前記光ノードが特定のデータチャネルについての宛先ノードであるように伝送データで特定される場合に、該宛先ノードを超える前記特定のデータチャネルの伝送を防ぐように前記第２コンフィギュレーションで前記バーストブロッカを構築するステップ
を更に実行させることを特徴とする付記４８記載の論理装置。
【０１０９】
（付記５０）
前記光ノードが特定のデータチャネルについてのソースノードであるように伝送データで特定される場合に、該ソースノードを超える前記特定のデータチャネルの伝送を防ぐように前記第２コンフィギュレーションで前記バーストブロッカを構築するステップ
を更に実行させることを特徴とする付記４８記載の論理装置。
【０１１０】
（付記５１）
トークン制御されたデータ伝送のための、記憶媒体に組み込まれた論理装置であって、
複数のデータチャネルを有する光伝送信号を受信するステップと、
特定のデータチャネルを複数のデータチャネルから分けるステップと、
前記特定のデータチャネルをスイッチで受信するステップと、
前記スイッチが第１コンフィギュレーションであった場合には前記特定のデータチャネルを通過させ、前記スイッチが第２コンフィギュレーションであった場合には前記特定のデータチャネルをブロックするようにスイッチを構築するステップと、
前記スイッチが前記第１コンフィギュレーションであった場合に、前記特定のデータチャネルを前記複数のデータチャネルに復帰させるステップと、
をコンピュータに実行させることを特徴とする論理装置。
【０１１１】
（付記５２）
時間ウインドウを有するコンフィギュレーションデータをコントローラから受信するステップと、
前記第１コンフィギュレーションでは前記時間ウインドウ内で前記スイッチを構築するステップと、
前記第２コンフィギュレーションでは前記時間ウインドウ外で前記スイッチを構築するステップと、  
を更に実行させることを特徴とする付記５１記載の論理装置。
【０１１２】
（付記５３）
前記バーストブロッカが前記特定のデータチャネルについての宛先光ノードとして指定される光ノードに組み込まれる場合に、前記スイッチを第２コンフィギュレーションに構成するステップと、
該宛先ノードを超える前記特定のデータチャネルの伝送を防ぐステップと、
を更に実行させることを特徴とする付記５１記載の論理装置。
【０１１３】
（付記５４）
前記バーストブロッカが前記特定のデータチャネルについてのソース光ノードとして指定される光ノードに組み込まれる場合に、前記スイッチを第２コンフィギュレーションに構成するステップと、
該ソースノードを超える前記特定のデータチャネルの更なる伝送を防ぐステップと、
を更に実行させることを特徴とする付記５１記載の論理装置。
【０１１４】
（付記５５）
複数のデータチャネルの１つ及び時間ウインドウを指定する伝送データを有するトークンを受信する手段と、
前記伝送データの少なくとも一部に基づいて、複数のデータチャネルを有する光伝送媒体で指定されたデータチャネルでの選択的な通信を行うためにバーストブロッカを選択的に構築する手段と、
を有する光ノードであって、前記バーストブロッカを選択的に構築する手段は、
前記複数のデータチャネルから特定のデータチャネルを分け、
第１コンフィギュレーションでは、前記時間ウインドウ以外の期間内に、宛先ノードに向けて複数のデータチャネルの伝送用の複数のデータチャネルに前記特定のデータチャネルを復帰させるように前記データブロッカを構築し、
第２コンフィギュレーションでは、前記時間ウインドウの期間内に、前記特定のデータチャネルの伝搬を防ぐように前記特定のデータチャネルをブロックするように前記バーストブロッカを構築する
ことを特徴とする特徴とする光ノード。
【０１１５】
（付記５６）
複数のデータチャネルを有する光伝送信号を受信する手段と、
第１フィルタを用いて、特定のデータチャネルを複数のデータチャネルから分ける手段と、
前記特定のデータチャネルをスイッチで受信する手段と、
前記スイッチが第１コンフィギュレーションであった場合には前記特定のデータチャネルを通過させ、前記スイッチが第２コンフィギュレーションであった場合には前記特定のデータチャネルをブロックする手段と、
第２フィルタで、前記複数のデータチャネルの少なくとも一部を前記第１フィルタから受信する手段と、
前記スイッチが前記第１コンフィギュレーションであった場合に、前記特定のデータチャネルを前記複数のデータチャネルに復帰させる手段と、
を有することを特徴とするバーストブロッカ。
【図面の簡単な説明】
【０１１６】
【図１ａ】本発明の様々な実施例により動作するネットワークノードを含む通信ネットワークを示す図である。
【図１ｂ】本発明の一実施例による通信ネットワークにおけるトークン制御データ伝送を示す図である。
【図２】ネットワーク中のノードの機能要素を示すブロック図である。
【図３】本発明の様々な実施例による光コンポーネントを示す図である。
【図４】本発明の一実施例による可変構成バーストブロッカを示す図である。
【図５】本発明の別の実施例による複数の波長をブロックする可変構成バーストブロッカを示す図である。
【図６】通信ネットワークのデータ伝送をブロックする方法を示すフローチャートである。
【符号の説明】
【０１１７】
１０  ネットワーク
１２  ノード
１４  データソース
１６  光ファイバ
１８  制御チャネル
３０  光部品
３２  電気部品
３４  コントローラ
４０  分岐カプラ
４２  分散カプラ
４４  フィルタ
４６  レーザ
４８  合成カプラ
５０  挿入カプラ
５２  バーストブロッカ
１００  バーストブロッカ
１０２，１０４，１０６，ＴＦＦ  薄膜フィルタ
１０８  スイッチ
１１０  トークンコントローラ
２００  バーストブロッカ
２０２  分離フィルタ
２０４  多重フィルタ
２０６  スイッチ
２１０  トークンコントローラ
【図１ａ】
2007143161.tif 000003
【図１ｂ】
2007143161.tif 000004
【図２】
2007143161.tif 000005
【図３】
2007143161.tif 000006
【図４】
2007143161.tif 000007
【図５】
2007143161.tif 000008
【図６】
2007143161.tif 000009